(57)【要約】      （修正有）【課題】空調困難なシート、アームサポート等の利用者接触面の通気、温度調整または空調の際に使用することができる空気搬送装置を提供する。【解決手段】原動機４６と、その作動を制御する制御装置６０とを備えた空気搬送装置４０において、前記制御装置６０を前記原動機４６から間隔をおいて設る。空気搬送装置がハウジング４２を有し、ハウジング内に少なくとも前記原動機が配置されており、前記制御装置が前記ハウジングの外側に配置される。【選択図】図２
2014114009.tif 000002
【特許請求の範囲】
【請求項１】
原動機（４６）と、前記原動機の作動を制御する制御装置（６０）と、を備えた空気搬送装置（４０）であって、
前記制御装置（６０）が前記原動機（４６）から間隔をおいて設けられていることを特徴とする空気搬送装置（４０）。
【請求項２】
前記空気搬送装置（４０）がハウジング（４２）を有し、
前記ハウジング内に少なくとも前記原動機（４６）が配置されており、
前記制御装置（６０）が前記ハウジングの外側に配置されていることを特徴とする、請求項１に記載の空気搬送装置（４０）。
【請求項３】
前記ハウジング（４２）の内部に、羽根車（４４）と、前記羽根車（４４）および前記原動機（４６）の少なくともいずれかの状態パラメータおよび作動パラメータを検知するためのセンサ（４８）と、が配置されており、
前記制御装置（６０）が、少なくとも１つの接続導線（５２）を介して、前記原動機および前記センサ（４８）と接続されていることを特徴とする、請求項１または２に記載の空気搬送装置（４０）。
【請求項４】
請求項１〜３のいずれか一項に記載の空気搬送装置（４０）を有することを特徴とする乗り物（１）の乗り物内装品用の空調装置（３）。
【請求項５】
前記制御装置（６０）が、空調快適部品（２）または乗り物（１）の静的領域（５）に配置されており、
前記空調快適部品（２）が、前記静的領域（５）に対し相対的に可動である空調快適ゾーン（１６）を有しており、
前記空気搬送装置（４０）の前記原動機（４６）またはハウジング（４２）が、可動である前記空調快適ゾーン（１６）に配置されており、
前記制御装置（６０）が、前記空調快適部品（２）の前記静的領域（５）に配置されていることを特徴とする、請求項４に記載の空調装置（３）。
【請求項６】
内装品が乗り物シート（４）であり、
前記制御装置（６０）がシートの静的領域に設けられており、
前記空調快適ゾーン（１６）が、ふくらはぎサポートに設けられていることを特徴とする、請求項４に記載の空調装置（３）。
【請求項７】
請求項４〜６のいずれか一項に記載の空調装置（３）を備えていることを特徴とする乗り物シート（４）。
【請求項８】
請求項７に記載の乗り物シート（４）、可動内装品、または請求項４〜６のいずれか一項に記載の空調装置（３）を備えることを特徴とする乗り物（１）。
【発明の詳細な説明】
【技術分野】
【０００１】
本発明の対象は、請求項１の前段に記載の空気搬送装置である。この空気搬送装置は、たとえばシート、アームサポート等の利用者接触面の通気、温度調整または空調の際に使用することができる。
【背景技術】
【０００２】
背もたれおよび着座面を空調するように構成されたシートが知られている。空調されるハンドル、ファンも知られている。しかしながら、利用者が触れる面がある場合、これらの面を空調することはできず、または空調できたとしても非常にコストが高くなる。
【０００３】
それゆえ、空調困難な領域、特に動的領域および静的領域をも除湿、通気することが望ましい。
【発明の概要】
【発明が解決しようとする課題】
【０００４】
本発明の課題は、従来の不具合を解消することである。
【課題を解決するための手段】
【０００５】
上述した背景に対し、請求項１の構成を備えた技術コンセプトが提案される。他の有利な構成は他の請求項および以下の説明から見て取れる。
【０００６】
原動機とその作動を制御する制御装置とを備えた空気搬送装置は、制御装置が原動機から間隔をおいて設けられていれば、さらに、特に空気搬送装置がハウジングを有し、該ハウジング内に少なくとも原動機が配置され且つ制御装置がこのハウジングの外側に配置されていれば、より平坦に構成することができる。羽根車と、該羽根車および／または原動機の状態パラメータおよび作動パラメータとを検知するためのセンサとが、ハウジングの内部に配置されていれば、制御装置を少なくとも１つの接続導線を介して原動機およびセンサと接続させることができる。これは、コスト上好ましく、且つ確実な制御を可能にする。
【０００７】
乗り物の乗り物内装品用空調装置がこのような空気搬送装置を有していれば、省スペースな取り付けが可能となる。制御装置が空調快適部品または乗り物の静的領域に配置され、空調快適部品が静的領域に対し相対的に可動な空調快適ゾーンを有し、空気搬送装置の原動機またはハウジングが可動な空調快適ゾーンに配置され、制御装置が空調快適部品の静的領域に配置されていれば、空調快適部品の可動部分をも空調することができる。これは、特に、内装品が乗り物シートであり、制御装置がシートの静的領域に付設され、空調快適ゾーンがふくらはぎサポートに付設されている場合に合目的である。
【０００８】
本発明は、さらに、乗り物シートにも関する。乗り物シートが上述の空調装置を備えていれば、その可動部分をもコスト的に好ましく通気することができる。
【０００９】
本発明は、さらに乗り物に関する。乗り物が、本発明による乗り物シート、対応する可動内装品、または本発明による空調装置を備えていれば、乗客の快適さを、特に極端な空調域（extremen Klimaregionen）において向上させる。
【００１０】
以下の説明および請求の範囲で本発明の詳細を説明する。これらの実施態様は本発明を理解するためのものである。しかしながら、これらの実施態様は例示的な性格を有するにすぎない。もちろん、独立請求項によって定義された本発明の範囲内で記載した個々の構成要件または複数の構成要件を削除、変形または補足してもよい。また、異なる実施態様の構成要件を互いに組み合わせることももちろん可能である。重要なことは、本発明のコンセプトが実質的に再構成されていることである。１つの構成要件が少なくとも部分的に満たされていれば、このことは、この構成要件が完全に満たされているということ、または、実質的に完全に満たされていることをも含んでいる。なお「実質的に」というのは、再構成により、認知できる範囲で望ましい利益が獲得できるということを意味している。これは、特に、対応する構成要件が少なくとも５０％，９０％，９５％または９９％満たされていることを意味することができる。最小量が記載されている場合、もちろんこの最小量を上回っても使用することができる。部材の数量が少なくとも１つと記載されている場合、これは２つ、３つまたはそれ以上の複数の部材を備えた実施形態も含んでいる。１つの物品に対し記載されている場合、他の同種の物品の主要部分または全体に適用することもできる。間隔は、何も記載されていなければ、その境界点をも含んでいる。
【００１１】
以下の図を参照する。
【図面の簡単な説明】
【００１２】
【図１】本発明による空気搬送装置を含む空調装置を備えたシートを有する乗り物を部分的に見た縦断面図である。
【図２】空調装置をも併せて示した図１のシートの拡大縦断面図である。
【図３】図２の空調装置の空気搬送装置の、シートに組み込む前の斜視図である。
【発明を実施するための形態】
【００１３】
図１は乗り物１を示している。乗り物とは、例えば陸上車両、水上車両、軌道車両、航空車両、特に飛行機、船、自動車のような人および／または物品を搬送する装置である。
【００１４】
乗り物１は、空調快適部品（Klimakomfort-Gegenstand）２、例えば内装品を有している。空調快適部品とは、客室の利用者が触ることのできる部品であればどのような部品であってもよい。例えばアームサポート、ドアトリム、シート等である。
【００１５】
空調快適部品２は、好ましくは、例えば発泡ポリウレタンから成るクッション２５を有している。クッション２５は好ましくはカバー３０で覆われている。
【００１６】
空調快適部品２、または乗り物１は、好ましくは静的領域５を有している。静的領域とは例えば着座面である。空調快適部品２は、静的領域５に対し相対的に可動である少なくとも１つの空調快適ゾーン１６を有している。空調快適ゾーンとは、例えば乗り物シート４の回動可能なふくらはぎサポート（Wadenauflage）であり、または、回動可能なアームレストである。「可動」とは、特に少なくとも変位可能であること、または、少なくとも回動可能であることを意味している。
【００１７】
空調快適ゾーン１６には、カバー３０の下において空調装置３が付設されている。これは、例えば乗り物１の客室内で利用者が触れる面の温度調整／空調のような、空調対象ゾーン内での温度、湿度および／または空気移動の制御に用いられる全ての装置を表わす。
【００１８】
このような空調装置３は、少なくとも１つの通気装置２０を有している。これは、例えば搭載した空調機、少なくとも部分的に空気を透過させる間隔保持媒体、間隔保持編物および／または空調用インサートのような特定の面領域または空間領域において、目的に応じて空気成分または空気流を変化させて換気を行うのに利用できる各種装置を表わす。
【００１９】
少なくとも１つの通気装置２０は、少なくとも１つの空気搬送装置４０を有している。これは、例えば軸流ファン（Axialventilatoren）のような、空気を空調快適部品２へ出入させるために適した各種装置、特に流動機械を表わす。しかし、ここではラジアルファン（Radialventilatoren）が有利である。その数量は、例えば１つの空調快適ゾーン１６につき１つの空気搬送装置４０が設けられているように選定することができる。
【００２０】
合目的的には、少なくとも１つの通気装置２０は少なくとも１つの空気案内装置２２を有している。これにより、目的に応じて少なくとも１つの空調快適ゾーン１６から少なくとも１つの空気搬送装置へ、またはその逆へ、空気を案内することが可能になる。空気案内装置は、好ましくは少なくとも１つの空気分配層２２２１を有している。これは、その面に沿って少なくとも１つの方向で、好ましくは少なくとも２つの方向で空気を透過させる平面部品を表わす。これにより、空気搬送装置４０から空気案内装置２２へ供給された空気を、合目的的には空調快適ゾーン１６へ分配し、または、この空調快適ゾーン１６にある空気を吸い込んで空気案内装置２２を介して空気搬送装置４０へ供給することが可能になる。空気分配層は、例えば少なくとも部分的に間隔保持編物（Abstandsgewirke）、けば付きフォイル（Noppenfolie）等から形成されている。
【００２１】
合目的的には、少なくとも１つの空気案内装置２２は少なくとも１つの被覆装置２２４を有している。これは、例えば発泡通路、フォイルまたはチューブのような、空気案内装置２２内へ案内された空気を止めて、望ましくない個所で空気案内装置から流出させる各種装置を表わす。
【００２２】
被覆装置は、好ましくは少なくとも部分的に、繊維製平面材、例えば織物、空気透過フォイル（例えばＰＥＴ，ＰＡ，ＰＰまたはＰＵ）と、好ましくはポリウレタンから成る空気透過性発泡材と、繊維材またはポリアクリル、ＰＡもしくは硬質ＰＶＣのような硬質プラスチックを備えた空気制止層と、から形成されている。
【００２３】
少なくとも１つの空気搬送装置４０および／または少なくとも１つの空気案内装置２２は、好ましくは少なくとも部分的に空調快適ゾーン１６から間隔をもって配置され、例えば乗り物シートの、利用者とは逆の側（Ｂサイド（B-Seite））に配置されている。
【００２４】
本発明による空気搬送装置４０は、好ましくはベンチレータであり、好ましくは、少なくとも１つの吸込み穴と少なくとも１つの排流穴とを備えたハウジング４２を有している。好ましくは、少なくとも１つの吸込み穴はシートの周囲と接触し、少なくとも１つの排流穴は空気案内装置２２に接続されている。
【００２５】
ハウジング４２内には、ハブ４５を備えた少なくとも１つの羽根車４４が配置されている。羽根車４４の回転軸線に沿って該回転軸線上には、羽根車と結合されてこれとともに回転する軸が配置されている。しかしながら、軸は固定軸であってもよく、その結果羽根車はこの軸に対し相対的にも回転する。
【００２６】
空気搬送装置４０は、好ましくは少なくとも１つの原動機、特に電動機を有している。原動機、特に電動機は好ましくは少なくとも部分的にハブ４５の内部に配置されている。好ましくは、電動機のロータはハブ４５と固定結合されている。原動機のステータは好ましくは空気搬送装置４０のハウジング４２に配置されており、これと固定結合されている。
【００２７】
原動機４６または羽根車４４には、空気搬送装置の状態パラメータおよび／または作動パラメータを検知するセンサ４８が付設されている。センサ４８は好ましくはホールセンサである。センサは、好ましくは電動機４６のコイルの磁場を検知して、原動機４６、ステータおよび／羽根車４４の位置、方向および／または速度を監視する。
【００２８】
空気搬送装置４０は、少なくとも１つの制御装置６０を有している。制御装置とは、特に、空気搬送装置４０または羽根車４４を駆動する電子装置である。可動である空調快適ゾーン１６内にはスペースが不足しているため、制御装置６０はハウジング４２の外側に収納されると好ましい。好ましくは、制御装置は空調快適部品２の静的領域５に配置され、そこに固定されている。制御装置は、接続導線５２を介してハウジング内の原動機およびセンサ４８と接続されている。制御装置は、プラグ６２を介して搭載電圧源および乗り物中央制御装置に接続可能である。特に、制御装置６０は乗り物中央電子制御装置とは異なる。
【００２９】
好ましくは、接続導線５２はカップリング装置５１を有し、カップリング装置において接続導線を断続させることができる。これにより制御装置と空気搬送装置の残りの部材とを互いに別個に取り付けて、作動のために後で互いに接続させることができる。
【００３０】
本発明は以下の特徴を有する。
［１］  原動機（４６）と、前記原動機の作動を制御する制御装置（６０）と、を備えた空気搬送装置（４０）であって、
前記制御装置（６０）が前記原動機（４６）から間隔をおいて設けられていることを特徴とする空気搬送装置（４０）。
［２］  前記空気搬送装置（４０）がハウジング（４２）を有し、
前記ハウジング内に少なくとも前記原動機（４６）が配置されており、
前記制御装置（６０）が前記ハウジングの外側に配置されていることを特徴とする、［１］に記載の空気搬送装置（４０）。
［３］  前記ハウジング（４２）の内部に、羽根車（４４）と、前記羽根車（４４）および前記原動機（４６）の少なくともいずれかの状態パラメータおよび作動パラメータを検知するためのセンサ（４８）と、が配置されており、
前記制御装置（６０）が、少なくとも１つの接続導線（５２）を介して、前記原動機および前記センサ（４８）と接続されていることを特徴とする、［１］または［２］に記載の空気搬送装置（４０）。
［４］  ［１］〜［３］のいずれかに記載の空気搬送装置（４０）を有することを特徴とする乗り物（１）の乗り物内装品用の空調装置（３）。
［５］  前記制御装置（６０）が、空調快適部品（２）または乗り物（１）の静的領域（５）に配置されており、
前記空調快適部品（２）が、前記静的領域（５）に対し相対的に可動である空調快適ゾーン（１６）を有しており、
前記空気搬送装置（４０）の前記原動機（４６）またはハウジング（４２）が、可動である前記空調快適ゾーン（１６）に配置されており、
前記制御装置（６０）が、前記空調快適部品（２）の前記静的領域（５）に配置されていることを特徴とする、［４］に記載の空調装置（３）。
［６］  内装品が乗り物シート（４）であり、
前記制御装置（６０）がシートの静的領域に設けられており、
前記空調快適ゾーン（１６）が、ふくらはぎサポートに設けられていることを特徴とする、［４］に記載の空調装置（３）。
［７］  ［４］〜［６］のいずれかに記載の空調装置（３）を備えていることを特徴とする乗り物シート（４）。
［８］  ［７］に記載の乗り物シート（４）、可動内装品、または［４］〜［６］のいずれかに記載の空調装置（３）を備えることを特徴とする乗り物（１）。
【符号の説明】
【００３１】
１  乗り物
２  空調快適部品
３  空調装置
４  乗り物シート
５  静的領域
１６  空調快適ゾーン
２０  通気装置
２２  空気案内装置
２５  クッション
３０  カバー
４０  空気搬送装置
４２  ベンチレータハウジング
４４  羽根車
４５  ハブ
４６  原動機
４８  センサ
５１  カップリング装置
５２  接続導線
６０  制御装置
６２  プラグ
２２４  被覆装置
２２２１  空気分配層
【図１】
2014114009.tif 000003
【図２】
2014114009.tif 000004
【図３】
2014114009.tif 000005